(57)【要約】【課題】高い清浄度を有し信頼性の高いＨＤＤスイングアーム用ピボット軸受ユニットを製造する方法を提供する。【解決手段】ＨＤＤスイングアーム用ピボット軸受ユニットは、略筒状のハウジング１と、ハウジング１に挿通された軸２と、ハウジング１の内周面と軸２の外周面との間に介装されハウジング１を軸２に対して回転自在に支持する転がり軸受３，３と、を備えている。そして、この転がり軸受３，３は、定位置予圧が与えられた状態でハウジング１と軸２との間に組み込まれている。このようなＨＤＤスイングアーム用ピボット軸受ユニットの組み立て工程及び検査工程で使用される冶工具には、不揮発性のコーティング剤が被覆されている。コーティング剤としては、パーフルオロポリエーテル等のフッ素系オイルが好ましい。【選択図】図２
2008112492.tif 000002
【特許請求の範囲】
【請求項１】
略筒状のハウジングと、前記ハウジングに挿通された軸と、前記ハウジングの内周面と前記軸の外周面との間に定位置予圧が与えられた状態で介装され前記ハウジングを前記軸に対して相対回転自在に支持する転がり軸受と、を備え、ハードディスクドライブ装置において情報を読み書きする磁気ヘッドが取り付けられたスイングアームを揺動運動可能に支持するピボット軸受ユニットを製造するに際して、
その組み立て工程及び検査工程で使用する冶工具に不揮発性のコーティング剤を被覆したことを特徴とするＨＤＤスイングアーム用ピボット軸受ユニットの製造方法。
【請求項２】
前記コーティング剤が、ハードディスクドライブ装置のハードディスク表面に塗布されるフッ素系オイルであることを特徴とする請求項１に記載のＨＤＤスイングアーム用ピボット軸受ユニットの製造方法。
【発明の詳細な説明】
【技術分野】
【０００１】
本発明は、ハードディスクドライブ装置（以降はＨＤＤと記すこともある）において情報を読み書きする磁気ヘッドが取り付けられたスイングアームを揺動運動可能に支持するピボット軸受ユニット（以降はＨＤＤスイングアーム用ピボット軸受ユニットと記すこともある）を製造する方法に関する。
【背景技術】
【０００２】
ＨＤＤに用いられる部品には高い清浄度が求められるので、ＨＤＤスイングアーム用ピボット軸受ユニットを製造する工程において使用される冶工具にも、パーティクルやアウトガスの発生源とならないことが求められる。よって、冶工具は、その表面に油分や塵埃が付着しないように保守管理されていた。
【特許文献１】特開２００２−３４９５５９号公報
【発明の開示】
【発明が解決しようとする課題】
【０００３】
しかしながら、ＨＤＤスイングアーム用ピボット軸受ユニットの部品の組み立てや完成品の検査を行うことにより、微細な金属系パーティクル等の塵埃が発生し、これがＨＤＤスイングアーム用ピボット軸受ユニットに付着して、ＨＤＤ内に持ち込まれる危険性が指摘されていた。
そこで、本発明は、上記のような従来技術が有する問題点を解決し、高い清浄度を有し信頼性の高いＨＤＤスイングアーム用ピボット軸受ユニットを製造する方法を提供することを課題とする。
【課題を解決するための手段】
【０００４】
前記課題を解決するため、本発明は次のような構成からなる。すなわち、本発明に係る請求項１のＨＤＤスイングアーム用ピボット軸受ユニットの製造方法は、略筒状のハウジングと、前記ハウジングに挿通された軸と、前記ハウジングの内周面と前記軸の外周面との間に定位置予圧が与えられた状態で介装され前記ハウジングを前記軸に対して相対回転自在に支持する転がり軸受と、を備え、ハードディスクドライブ装置において情報を読み書きする磁気ヘッドが取り付けられたスイングアームを揺動運動可能に支持するピボット軸受ユニットを製造するに際して、その組み立て工程及び検査工程で使用する冶工具に不揮発性のコーティング剤を被覆したことを特徴とする。
【０００５】
また、本発明に係る請求項２のＨＤＤスイングアーム用ピボット軸受ユニットの製造方法は、請求項１に記載のＨＤＤスイングアーム用ピボット軸受ユニットの製造方法において、前記コーティング剤が、ハードディスクドライブ装置のハードディスク表面に塗布されるフッ素系オイルであることを特徴とする。
【発明の効果】
【０００６】
本発明のＨＤＤスイングアーム用ピボット軸受ユニットの製造方法は、組み立て工程及び検査工程においてパーティクルやアウトガスが発生しにくいので、高い清浄度を有し信頼性の高いＨＤＤスイングアーム用ピボット軸受ユニットを製造することができる。
【発明を実施するための最良の形態】
【０００７】
本発明に係るＨＤＤスイングアーム用ピボット軸受ユニットの製造方法の実施の形態を、図面を参照しながら詳細に説明する。
まず、ＨＤＤスイングアーム用ピボット軸受ユニットの構成を、図１の断面図を参照しながら説明する。図１のＨＤＤスイングアーム用ピボット軸受ユニットは、スイングアーム（図示せず）に設けられた穴に嵌入される略筒状のハウジング１と、ハウジング１に挿通された軸２と、ハウジング１の内周面と軸２の外周面との間に介装されハウジング１を軸２に対して回転自在に支持する転がり軸受３，３と、を備えている。この転がり軸受３，３は、定位置予圧が与えられた状態でハウジング１と軸２との間に組み込まれている。また、この転がり軸受３，３の内部には、グリース，潤滑油等の潤滑剤（図示せず）が封入されている。転がり軸受３の個数は特に限定されるものではないが、図１には２個の転がり軸受が介装された例を示してある。
【０００８】
軸２の軸方向一端部には径方向外方に延びるフランジ部１０が形成されており、このフランジ部１０の先端がハウジング１の内周面と対向している。そして、フランジ部１０の先端とハウジング１の内周面との間の隙間によりラビリンスシール５が形成されている。一方、軸２の軸方向他端部にはワッシャー状のシールキャップ１２が取り付けられており、シールキャップ１２の外周面がハウジング１の内周面と対向している。そして、シールキャップ１２の外周面とハウジング１の内周面との間の隙間によりラビリンスシール５が形成されている。
【０００９】
次に、このようなＨＤＤスイングアーム用ピボット軸受ユニットを製造する工程を、図２の工程図を参照しながら説明する。まず、２つの転がり軸受３，３のうち一方とハウジング１とを接着剤により固着するとともに、他方の転がり軸受３と軸２とを接着剤により固着する。次に、上記のようにして得られた２つの中間品を組み立てて接着剤により固着し、ＨＤＤスイングアーム用ピボット軸受ユニットとする。その際には、転がり軸受３，３に定位置予圧が与えられた状態となるようにする。
そして、高温下での熱処理により接着剤を硬化させたら、検査工程に移し、組み立て精度、寸法、及び回転トルク等のＨＤＤスイングアーム用ピボット軸受ユニットの特性を検査する。検査に合格した製品は、梱包され出荷される。
【００１０】
上記のようなＨＤＤスイングアーム用ピボット軸受ユニットの組み立て工程及び検査工程においては、各部品，中間品，完成品を保持する冶工具が必要である。これらの冶工具には、不揮発性のコーティング剤が被覆されているので、各部品，中間品，完成品と冶工具とが接触して擦れても金属系パーティクル等の塵埃が発生しにくい。よって、ＨＤＤスイングアーム用ピボット軸受ユニットの組み立て工程や完成品の検査工程において、各部品，中間品，完成品に塵埃が付着するおそれがほとんどない。また、コーティング剤が不揮発性であるので、冶工具からアウトガスが発生して各部品，中間品，完成品が汚染されるおそれがない。よって、高い清浄度を有し信頼性の高いＨＤＤスイングアーム用ピボット軸受ユニットを製造することができる。
【００１１】
コーティング剤の種類は特に限定されるものではないが、ＨＤＤのハードディスク表面に塗布されるフッ素系オイルが好適である。フッ素系オイルとしてはパーフルオロポリエーテルが好ましく、具体例としてはＳｏｌｖａｙ  Ｓｏｌｅｘｉｓ社製のＦｏｍｂｌｉｎ（商品名）や、ダイキン工業株式会社製のデムナム（商品名）があげられる。
なお、本実施形態は本発明の一例を示したものであって、本発明は本実施形態に限定されるものではない。例えば、図１のＨＤＤスイングアーム用ピボット軸受ユニットに組み込まれた転がり軸受３は、シールドや保持器を備えているが、シールドのような密封装置や保持器は備えていなくてもよい。
【００１２】
また、本実施形態においては、ＨＤＤスイングアーム用ピボット軸受ユニットに組み込まれる転がり軸受として深溝玉軸受を例示して説明したが、本発明のＨＤＤスイングアーム用ピボット軸受ユニットには様々な種類の転がり軸受を組み込むことができる。例えば、アンギュラ玉軸受，円筒ころ軸受，円すいころ軸受，針状ころ軸受，自動調心ころ軸受等のラジアル形の転がり軸受や、スラスト玉軸受，スラストころ軸受等のスラスト形の転がり軸受である。
さらに、本実施形態のＨＤＤスイングアーム用ピボット軸受ユニットは、ハウジングを備えているが、図３，４に示すようなハウジングを備えていないタイプのＨＤＤスイングアーム用ピボット軸受ユニットにも本発明を適用可能である。
【図面の簡単な説明】
【００１３】
【図１】ＨＤＤスイングアーム用ピボット軸受ユニットの断面図である。
【図２】ＨＤＤスイングアーム用ピボット軸受ユニットの製造方法を説明する工程図である。
【図３】本実施形態の変形例を示すＨＤＤスイングアーム用ピボット軸受ユニットの断面図である。
【図４】本実施形態の別の変形例を示すＨＤＤスイングアーム用ピボット軸受ユニットの断面図である。
【符号の説明】
【００１４】
１      ハウジング
２      軸
３      転がり軸受
【図１】
2008112492.tif 000003
【図２】
2008112492.tif 000004
【図３】
2008112492.tif 000005
【図４】
2008112492.tif 000006